(57)【特許請求の範囲】
【請求項１】
尖鋭な針先を備えるピンの少なくとも先端が挿入されて摩擦力により挿入された前記ピンの先端を保持するゲル状充填材と、前記ピンの先端が挿入され得る開口部を有し内部に前記充填材を保持する外郭ケースと、を備え、
前記ピンを係止する場合に、前記ピンの先端の前記針先による穿孔により前記ピンが前記ゲル状充填材に挿入される
ことを特徴とする舞台装飾用のピンキャップ。
【請求項２】
請求項１に記載のピンキャップにおいて、
前記ゲル状充填材と、挿入された前記ピンと、の間の最大静止摩擦力は、前記ピンの重さよりも大きい
ことを特徴とする舞台装飾用のピンキャップ。
【請求項３】
請求項１または請求項２に記載のピンキャップにおいて、
前記ゲル状充填材は、前記外郭ケースよりも柔らかい
ことを特徴とする舞台装飾用のピンキャップ。
【請求項４】
請求項１乃至請求項３のいずれか一項に記載のピンキャップにおいて、
前記ゲル状充填材は、シリコン樹脂またはゴムで形成される
ことを特徴とする舞台装飾用のピンキャップ。
【請求項５】
請求項１乃至請求項４のいずれか一項に記載のピンキャップにおいて、
前記外郭ケースは、プラスチックで形成される
ことを特徴とする舞台装飾用のピンキャップ。
【請求項６】
ピンの少なくとも先端が挿入されて摩擦力により挿入された前記ピンの先端を保持するゲル状充填材と、前記ピンの先端が挿入され得る開口部を有し内部に前記充填材を保持する外郭ケースと、を備え
前記外郭ケースは、前記ピンが挿入される開口部を除く部位に、ガイド部材を係止し得る少なくとも一つの貫通孔を備える
ことを特徴とするピンキャップ。
【請求項７】
ピンの少なくとも先端が挿入されて摩擦力により挿入された前記ピンの先端を保持するゲル状充填材と、前記ピンの先端が挿入され得る開口部を有し内部に前記充填材を保持する外郭ケースと、を備え
前記外郭ケースは光を透過する部材で形成され、外部からその光を視認可能な発光体を内部に備える
ことを特徴とするピンキャップ。
【請求項８】
請求項７に記載のピンキャップにおいて、
前記発光体は発光ダイオードである
ことを特徴とするピンキャップ。
【請求項９】
請求項７または請求項８に記載のピンキャップにおいて、
前記ピンの挿入により前記発光体を点灯させるスイッチを備える
ことを特徴とするピンキャップ。
【請求項１０】
請求項７乃至請求項９のいずれか一項に記載のピンキャップの点灯方法において、
舞台幕に前記ピンキャップを装着する工程と、
舞台演者または観客の少なくともいずれか一方が前記ピンキャップを視認できるように点灯させる工程と、を有する
ことを特徴とするピンキャップの点灯方法。
【請求項１１】
請求項７乃至請求項９のいずれか一項に記載のピンキャップの点灯方法において、
舞台幕に前記ピンキャップを所望の形状に対応するように複数個装着する工程と、  前記所望の形状を舞台演者または観客の少なくともいずれか一方が前記所望の形状を視認できるように点灯させる工程と、を有する
ことを特徴とするピンキャップの点灯方法。
【請求項１２】
請求項６に記載のピンキャップの装着方法において、
舞台幕に前記ピンキャップを装着する工程と、
舞台演者または観客の少なくともいずれか一方が視認できるように前記貫通孔にガイド部材を係止する工程と、を有する
ことを特徴とするピンキャップの装着方法。
【請求項１３】
請求項６に記載のピンキャップの装着方法において、
舞台幕に前記ピンキャップを所望の形状に対応するように複数個装着する工程と、
舞台演者または観客の少なくともいずれか一方が前記所望の形状を視認できるように前記貫通孔にガイド部材を係止する工程と、を有する
ことを特徴とするピンキャップの装着方法。
【発明の詳細な説明】
【技術分野】
【０００１】
本発明は、針先を収納するだけではなく、挿入された針先との摩擦力で安定保持可能なピンキャップとピンキャップの点灯方法およびその装着方法に関する。
【背景技術】
【０００２】
画鋲や虫ピン、待ち針等の尖鋭な針先を有する各種ピン類は、衣類や布、壁やカーテン等の任意の箇所に適宜差し込み、固定したり仮止めすることが可能である一方、その針先が尖鋭であるが故に、適切な安全対策や保護対策も必要とされるところである。
【０００３】
例えば下記特許文献１には、虫ピンの針先にキャップをかぶせて危険を少なくし、針先の保護をするために、磁石でなる円筒状のキャップ中央部に虫ピンの針先収納部を設ける虫ピンキャップが開示されている。
【０００４】
特許文献１によれば、従来、虫ピンの針先がむき出しの状態であり、危険であるという問題点に鑑みてなされたものであり、虫ピンの針先にキャップをかぶせ危険を少なくしようとするために、磁石でなる円筒状のキャップの中央部に虫ピンの針先を収納する針先収納部を設けることとされる。
【０００５】
すなわち、キャップの針先収納部に虫ピンの針先を挿入するが、キャップは磁石でなるので磁石の作用により針先より抜け落ちず、虫ピンを使用するときは、キャップを針先から外せばよい。より具体的には、図５に示すように、磁石でなる円筒状のキャップ５１の中央部に虫ピン５３の針先を収納する針先収納部５２を設ける構成とする発明が示されている。
【先行技術文献】
【特許文献】
【０００６】
【特許文献１】登録実用新案公報第３０２１７４７号
【発明の概要】
【発明が解決しようとする課題】
【０００７】
従来、尖鋭な針先を有する各種ピンや釘等の針先保護と安全対策とを兼ね備えたキャップであって、針先との適切な摩擦力で安定して保持され、繰り返し利用が可能なピンキャップは用いられていない。また、好ましくは、布等に通された使用状態のピンに装着されることが可能なピンキャップであり、さらに好ましくはピンキャップの位置を使用者に通知したり、または／およびピンキャップをマーカーや表示手段、あるいはガイド紐等の係止手段として利用できることが望ましい。
【０００８】
本発明は、上述のような問題点に鑑み為されたものであって、針先を収納するだけではなく、挿入された針先との摩擦力で安定保持可能なピンキャップ等を提案することを目的とする。
【０００９】
また、好ましくは、暗闇でも視認者に容易に視認されるとともに、視認者に所望の情報を提供し得るピンキャップを提案することを目的とする。
【課題を解決するための手段】
【００１０】
本発明のピンキャップは、ピンの少なくとも先端が挿入されて摩擦力により挿入されたピンの先端を保持するゲル状充填材と、ピンの先端が挿入され得る開口部を有し内部に充填材を保持する外郭ケースと、を備えることを特徴とする。
【００１１】
本発明のピンキャップは、好ましくはゲル充填材と、挿入されたピンと、の間の最大静止摩擦力は、ピンの重さよりも大きいことを特徴とする。
【００１２】
本発明のピンキャップは、さらに好ましくはゲル状充填材が、外郭ケースよりも柔らかいことを特徴とする。
【００１３】
本発明のピンキャップは、さらに好ましくはゲル状充填材が、シリコン樹脂またはゴムで形成されることを特徴とする。
【００１４】
本発明のピンキャップは、さらに好ましくは外郭ケースが、プラスチックで形成されることを特徴とする。
【００１５】
本発明のピンキャップは、さらに好ましくは外郭ケースが、ピンが挿入される開口部を除く部位に、ガイド部材を係止し得る少なくとも一つの貫通孔を備えることを特徴とする。
【００１６】
本発明のピンキャップは、さらに好ましくは外郭ケースが光を透過する部材で形成され、外部からその光を視認可能な発光体を内部に備えることを特徴とする。
【００１７】
本発明のピンキャップは、さらに好ましくは発光体が発光ダイオードであることを特徴とする。
【００１８】
本発明のピンキャップは、さらに好ましくはピンの挿入により発光体を点灯させるスイッチを備えることを特徴とする。
本発明のピンキャップの点灯方法は、舞台幕にピンキャップを装着する工程と、舞台演者または観客の少なくともいずれか一方がピンキャップを視認できるように点灯させる工程と、を有することを特徴とする。  
【００１９】
本発明のピンキャップの点灯方法は、舞台幕にピンキャップを所望の形状に対応するように複数個装着する工程と、所望の形状を舞台演者または観客の少なくともいずれか一方が所望の形状を視認できるように点灯させる工程と、を有することを特徴とする。
【００２０】
本発明のピンキャップの装着方法は、舞台幕にピンキャップを装着する工程と、舞台演者または観客の少なくともいずれか一方が視認できるように貫通孔にガイド部材を係止する工程と、を有することを特徴とする。
【００２１】
本発明のピンキャップの装着方法は、舞台幕にピンキャップを所望の形状に対応するように複数個装着する工程と、舞台演者または観客の少なくともいずれか一方が所望の形状を視認できるように貫通孔にガイド部材を係止する工程と、を有することを特徴とする。
【発明の効果】
【００２２】
針先を収納するだけではなく、挿入された針先との摩擦力で安定保持可能なピンキャップ等を実現できる。
【図面の簡単な説明】
【００２３】
【図１】本発明の第一の実施形態にかかるピンキャップの構成概要を説明する概念図である。
【図２】第二の実施形態にかかるピンキャップの構成概要を説明する概念図である。
【図３】第三の実施形態にかかるピンキャップの構成概要を説明する概念図である。
【図４】第四の実施形態にかかるピンキャップの構成概要を説明する概念図である。
【図５】従来のピンキャップの構成概要を説明する図である。
【図６】（ａ）は四つのピンキャップを舞台幕やカーテンに装着し、その間をガイド紐で連結することにより、観客や舞台演者に視認可能な矢印形状のマーカーを形成した例を説明する図であり、（ｂ）は１５個のピンキャップを比較的小さな間隔で舞台幕やカーテンに矢印形状に装着し、暗闇でも発光ダイオードの点灯により観客や舞台演者に視認可能な全体として矢印形状のマーカーを形成した例を説明する図である。
【発明を実施するための形態】
【００２４】
図１は、本発明の第一の実施形態にかかるピンキャップ２００の構成概要を説明する概念図である。図１に示すように、ピンキャップ２００は、外郭ケース２１０と、その内部に充填された充填材２２０とを備える。以下の説明において、ピンとは画鋲に限定されるものではなく、釘や虫ピンや待ち針等尖鋭な針先を備える他の係止部品を含むものとする。
【００２５】
外郭ケース２１０は、プラスチック系素材等の外形を保持し維持することが可能な比較的硬い素材で形成される。一方、充填材２２０は、シリコン樹脂やゴム系材料等の針先を繰り返し抜き差し可能な素材で形成され、典型的にはゲル素材で形成される。
【００２６】
充填材２２０がゲル素材で構成されるため、外郭ケース２１０の開口部を介してピン１００の針先が充填材２２０の内部に容易に挿入され得る。また、充填材２２０は、挿入されたピン２００の針先と適度な摩擦力を生成し、ピン２００がその向きに拘わらず抜け落ちることがないように保持する。
【００２７】
好ましくは、充填材２２０が、ピン１００の挿入部位との相互作用で生成する最大静止摩擦力により、ピン１００が垂直下方に向けられた場合でも自重により抜け落ちることを防止できることが好ましい。
【００２８】
これにより、ピンキャップ２００は、ピン１００の針先を保護するだけではなく、人体等への危害事故の懸念を低減させることができる。また、ピン１００とピンキャップ２００とは、布やカーテン、被服等をピン１００とピンキャップ２００との間に挟持するようにして使用してもよく、ピンキャップ２００は仮止め位置を示すマーカーや目印、視認者への各種インジケータとして用いることができる。
【００２９】
図２は、第二の実施形態にかかるピンキャップ３００の構成概要を説明する概念図である。図２から理解できるように、ピンキャップの外郭ケース３１０には充填材３２０が充填されており、そのピンが挿入される開口部の対向位置端には、ストラップやガイド紐等が挿入され係止され得るアーム３３０が備えられる。
【００３０】
アーム３３０は、外郭ケース３１０と同一素材で一体的に形成されることができる。アーム３３０により、アーム３３０と外郭ケース本体とにより貫通孔３４０が形成されて、この貫通孔３４０にガイド紐等が挿入され得る。
【００３１】
例えば、演劇場における舞台幕の任意の複数箇所に第二の実施形態のピンキャップを装着すれば、装着されたピンキャップの間をガイド紐で連結し、任意の形状の模様を舞台幕に描くことも可能となる。
【００３２】
また、連結したガイド紐で、舞台上の演者や観客に視認可能なガイド矢印やマーク形状を形成し、舞台の所定位置を示すマーキングとして用いたり、観客への位置情報通知手段として用いることも可能である。また、舞台幕上において、観客や舞台演者に所望形状のサイン、目印、矢印、任意のマーク等を点灯表示することが可能である。
【００３３】
また、図３は、第三の実施形態にかかるピンキャップ４００の構成概要を説明する概念図である。図３に示すように、外郭ケース４１０とその内部に充填された充填材４２０とを備えるピンキャップは、さらにその内部に発光体４５０を備える。
【００３４】
図３においては、発光体４５０の説明のために、外郭ケース４１０の約下半分は取り去って透過視状態を示している。発光体４５０は、好ましくは発光ダイオードであってもよい。また、発光体４５０に電力を供給するための蓄電池４４０を備える。蓄電池４４０は、例えばボタン電池等の小型・軽量の二次電池であることが好ましい。
【００３５】
第三の実施形態においては、プラスチック等で形成された外郭ケース４１０は、ＬＥＤ等の発光体４５０の光を少なくとも視認者から視認可能な程度に、透過させる透明または半透明の素材とする。さらに、好ましくは、シリコン樹脂やゴム素材で形成される充填材４２０についても、発光体４５０の光を透過可能な透明または半透明な素材で形成する。
【００３６】
発光体４５０と蓄電池４４０とは、外郭ケース４１０の最深部において充填材４２０の中に埋め込まれるように包含されてもよく、外郭ケース４５０の内壁に設けられた不図示の係止部に発光体４５０が係止されて固定されてもよい。
【００３７】
また、図４は、第四の実施形態にかかるピンキャップの構成概要を説明する概念図である。図４においては、充填材５２０の記載は一部省略している。外郭ケース５１０内部に配置された発光体５５０は、ピン５００が挿入されるとオンとなるスイッチ５６０により、蓄電池５４０から電気が供給されて点灯する。
【００３８】
スイッチ５６０は図５に示すように、ピン５００の先端の押圧動作により、オンとなる形式のものでもよいし、挿入されたピン５００によりピン５００の先端が電流をバイパスする形式のものでもよい。一般にピン５００は、導電性の素材が用いられていることが多いことから、その場合にはバイパス形式を用いてピン先が電気をいわば仲介することにより、電気的導通を完成することとできる。すなわち、ピン非挿入時にはオープン状態の配線の両端端子を、ピンの挿入に伴いピン先が電気的に導通させることが可能なように、スイッチを構成することができる。
【００３９】
図６（ａ）は四つのピンキャップ３００（１）〜３００（４）を舞台幕やカーテンに装着し、その間をガイド紐６１０で連結することにより、観客や舞台演者に視認可能な矢印形状のマーカーを形成した例を説明する図であり、図６（ｂ）は１５個のピンキャップ４００（１）〜４００（１５）を比較的小さな間隔で舞台幕やカーテンに矢印形状に装着し、暗闇でも発光ダイオードの点灯により観客や舞台演者に視認可能な全体として矢印形状のマーカーを形成した例を説明する図である。
【００４０】
図６に示すように、ピンキャップ３００，４００等自体は小型軽量であり持ち運びや保管が容易である一方、演劇場等のマーカー表示現場において、比較的大型のマーカー等を容易に構成することが可能となる。また、発光ダイオードにより夜間や上演中であっても容易に視認可能な表示構成とできる。
【００４１】
特に、特設舞台やアリーナコンサート、野外コンサートのような移動を前提とした一時的な演劇場の場合には、固定された建屋のコンサートホールのように固定マーカーを建屋の壁等に埋め込むことには馴染まない。また、大型のサインボード等は持ち運びや保管が容易ではない。本実施形態で提案するピンキャップを複数用いることにより、比較的大きな任意形状のサインやマーカーであっても容易に形成することが可能であり、持ち運びや保管への負担は極めて少なくすることができる。また、舞台幕等に装着すれば、舞台幕で隔てられた演者または観客のいずれか一方にのみに対して、所望のマーカーを視認させることができるので、移動演劇場等における位置表示や各種情報表示に極めて有用である。また、発光ダイオードは装着使用時のみ発光することとできるので、電池の浪費を低減できる。
【００４２】
上述した各実施形態のピンキャップとその点灯方法とは、上述した各実施形態での説明に限定されるものではなく、自明な範囲で適宜その形状や構造や使用方法を変更することができるとともに、自明な範囲で適宜組み合わせることができる。
【符号の説明】
【００４３】
１００・・ピン、２００・・ピンキャップ、２１０・・外郭ケース、２２０・・充填材。
【図１】
0006006005.tif 000002
【図２】
0006006005.tif 000003
【図３】
0006006005.tif 000004
【図４】
0006006005.tif 000005
【図５】
0006006005.tif 000006
【図６】
0006006005.tif 000007